(57)【要約】【課題】金型のコストが抑えられ、コストが安価であるとともに、組電池に嵌合するのが容易である外装枠、及びこの外装枠を備え、外観が良好である電池パックを提供する。【解決手段】外装枠２は、組電池１の保護回路基板１２ａを覆う基板被覆部２１と、可撓性を有し、組電池１の保護回路部１２が配される一端面に隣接する一側面を覆う一側面被覆部２２と、組電池１の他端面を覆う他端面被覆部２３と、組電池１の他側面を覆う他側面被覆部２４とを備える。一側面被覆部２２は、前記一側面の両端側に対向する側面部２２ａ，２２ｄと、組電池１の上端部を覆う上端部被覆部２２ｂ，２２ｅと、組電池１の下端部を覆う下端部被覆部２２ｃ，２２ｆと、湾曲部２２ｇとを備える。【選択図】図２
2007179979.tif 000002
【特許請求の範囲】
【請求項１】
平板状の素電池の側面の外側に、外部出力端子を有する保護回路基板を配してなる組電池の各側面を覆う外装枠において、
前記組電池の前記保護回路基板に対向させる枠辺部に隣接する一枠辺部に分断部を有することを特徴とする外装枠。
【請求項２】
前記一枠辺部に対向する枠辺部の少なくとも中央部が可撓性を有する請求項１に記載の外装枠。
【請求項３】
前記枠辺部が内側に凸に湾曲し、前記保護回路基板に対向させる枠辺部と、該枠辺部に対向する枠辺部とが、湾曲した枠辺部を介して連なり、内側を同一方向に向けた状態に成形してなる請求項２に記載の外装枠。
【請求項４】
前記一枠辺部に対向する枠辺部の湾曲する部分の上下寸法が前記枠辺部の端部の上下寸法より短い請求項２に記載の外装枠。
【請求項５】
前記一枠辺部に対向する枠辺部の湾曲する部分の中央部の上下寸法が前記枠辺部の端部の上下寸法と略同寸であり、前記部分の他部の上下寸法は前記端部の上下寸法より短い請求項２に記載の外装枠。
【請求項６】
平板状の素電池の側面の外側に、外部出力端子を有する保護回路基板を配してなる組電池と、
請求項１乃至５のいずれかに記載の外装枠と
を備えることを特徴とする電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池、具体的にはリチウムイオン二次電池等の各側面を包囲し、絶縁体からなる外装枠、及びこの外装枠を備える電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。
【０００３】
リチウムイオン二次電池においては、過充電及び過放電を防止するために一側面に電池電圧を制御するための保護回路基板が設けられており、これらを絶縁性の例えば合成樹脂製の外装枠に収容した状態の電池パックとして電子機器に装着する。保護回路基板と電池との間は接続用のリード板により電気的に接続される。
【０００４】
図８は、従来のコアパックを示す分解斜視図であり、図中、２０がコアパックである。  コアパック２０の組電池７の素電池７１は、その内部に正極及び負極をセパレータを介して巻回した発電要素からなる非水電解質二次電池、具体的には例えばリチウムイオン二次電池等の二次電池を備え、この発電要素をアルミニウム又はアルミニウム合金製のケースに収納してなる。素電池７１の一側面には、絶縁紙を介して負極端子が設けられており（図示せず）、この負極端子が設けられた部分以外の素電池７１の全体が正極（端子）とされる。
【０００５】
素電池７１の一端面には、絶縁紙及びスペーサを介して保護回路部７２が取り付けられている。保護回路部７２の保護回路基板７２ａは、素電池７１の過充電又は過放電等を防止するための保護回路を備える。保護回路基板７２ａの素電池７１と対向する面に回路素子（図示せず）が実装されており、反対側、即ち外側の面の一端部側には、外部へ電力を取り出し、また逆に充電のために外部から電力を取り込むための正負極の電極端子７２ｂ，７２ｂ，７２ｂが突設されている。そして、保護回路基板７２ａの両端部には、素電池７１の両側面に沿わせるリード板部７２ｃ，７２ｃが設けられている。
【０００６】
合成樹脂製の第１外装枠８は、保護回路基板７２ａを覆う基板被覆部８１と、組電池７の保護回路部７２が配される前記一端面に隣接する各側面を各々覆う側面被覆部８２，８３とを備える。基板被覆部８１は、組電池７の側面に対向する側面部８１ａと、組電池７の上面の端部を覆う上端部被覆部８１ｂと、組電池７の下面の端部を覆う下端部被覆部８１ｃと、保護回路基板７２ａの電極端子７２ｂを露出させるための窓部８１ｄ，８１ｄ，８１ｄとを備える。同様に、側面被覆部８２，８３は、組電池７の側面に対向する側面部８２ａ，８３ａと、組電池７の上面の端部を覆う上端部被覆部８２ｃ，８３ｃと、組電池７の下面の端部を覆う下端部被覆部８２ｄ，８３ｄとを備える。そして、側面部８２ａの長手方向の端部には係止凸部８２ｂが設けられており、側面部８３ａの長手方向の端部には係止凹部８３ｂが設けられている。
【０００７】
第２外装枠９は、組電池７の他端面を覆う他端面被覆部９１と、前記他端面に隣接する各側面を各々覆う側面被覆部９２，９３とを備える。他端面被覆部９１は、組電池７の側面に対向する側面部９１ａと、組電池７の上面の端部を覆う上端部被覆部９１ｂと、組電池７の下面の端部を覆う下端部被覆部９１ｃとを備える。同様に、側面被覆部９２，９３は、組電池７の側面に対向する側面部９２ａ，９３ａと、組電池７の上面の端部を覆う上端部被覆部９２ｃ，９３ｃと、組電池７の下面の端部を覆う下端部被覆部９２ｄ，９３ｄとを備える。そして、側面被覆部９２の長手方向の端部には係止凹部９２ｂが設けられており、側面被覆部９３の長手方向の端部には係止凸部９３ｂが設けられている。
【０００８】
コアパック２０の組み立てに際しては、まず、素電池７１の一端面に、順次、絶縁紙、スペーサ及び保護回路部７２を重ねて、組電池７を得る。さらに、この一端面を第１外装枠８で覆い、他端面を第２外装枠９で覆い、係止凸部８２ｂと係止凹部９２ｂとを係止させ、係止凸部９３ｂと係止凹部８３ｂとを係止させることにより第１外装枠８と第２外装枠９とを一体化させて、コアパック２０を得る。最後にラベル３０をコアパック２０の平面部に貼付・位置決めし、第１外装枠８及び第２外装枠９を巻き込んで貼付し、電池パックを得る。
【０００９】
特許文献１には、コアパックの外装枠を第１ケースと第２ケースとに上下に分割すると共に、分割された第１ケース及び第２ケース各々が、組電池の側面をカバーする側面ケース部と薄型電池の端面をカバーする端面ケース部とを方形枠状に成形してなり、さらに、第２ケースと第１ケースとは、いずれか一方または両方に係止フックを一体的に成形して設け、この係止フックを係止する係止凹部を他方に設けたコアパックの発明が開示されている。
特許文献２には、図８のコアパックと同様に、外装枠が組電池の幅方向に２分割しており、ラベルが切り込みを有し、組電池の表面に付着される基材層と、基材層の表面に積層される表面層とからなる電池パックの発明が開示されている。この電池パックでは、コアパックにラベルを付着するときに破れるのが防止されている。
【特許文献１】特開２００５−１００６８９号公報
【特許文献２】特開２００５−１３５７７０号公報
【発明の開示】
【発明が解決しようとする課題】
【００１０】
上述の図８、特許文献１及び２のコアパックにおいては、外装枠が２ピースからなるので、外装枠が１ピースである場合と比較して、金型が２種類必要であってコストがかかり、外装枠のコストが高くなるという問題がある。そして、ラベルを巻いたときに、外装枠の接続部分が視認され、外観が良くないという問題がある。
また、分断部を有することなく、外装枠を１ピースから構成した場合は、金型の形状が複雑になるのに加えて、組電池に外装枠を嵌め合わせるのが容易ではなく、無理な力が加わって破損する虞があるという問題がある。
さらに、特許文献１のコアパックの場合、組電池の側面と外装枠の側面ケース部とを接着させるので、組み立て工程が煩雑であるという問題がある。
【００１１】
本発明は、斯かる事情に鑑みてなされたものであり、１ピースから構成することにより、金型のコストが抑えられ、コストが安価であり、しかも、金型の形状が簡単であり、組電池に嵌合するのが容易であって、無理な力が加わって破損するのが抑制されている外装枠を提供することを目的とする。
【００１２】
また、本発明は、組み立て時に、外装枠を組電池に嵌合するのが容易であり、無理な力が加わって破損するのが抑制されるとともに、外装枠の接続部分が１箇所であるので、ラベルを巻き付けたときに、外観が良好である電池パックを提供することを目的とする。
【課題を解決するための手段】
【００１３】
第１発明に係る外装枠は、平板状の素電池の側面の外側に、外部出力端子を有する保護回路基板を配してなる組電池の各側面を覆う外装枠において、前記組電池の前記保護回路基板に対向させる枠辺部に隣接する一枠辺部に分断部を有することを特徴とする。
【００１４】
ここで、組電池の側面とは、組電池の上面及び下面以外の面をいう。
本発明においては、外装枠の分断部が１箇所であり、１ピースからなるので、金型が１種類で済み、金型のコストが抑えられ、外装枠のコストが安価になる。そして、分断部が１箇所であるので、外装枠を組電池に嵌合したコアパックにラベルを巻いて電池パックを得るときに、接続部分が１箇所視認されるのみであり、外観が良好である。
また、分断部を有するので、分断部を有しない一体型の外装枠と比較して、外装枠を組電池に嵌め合わせるのが容易である。
【００１５】
第２発明に係る外装枠は、第１発明において、前記一枠辺部に対向する枠辺部の少なくとも中央部が可撓性を有することを特徴とする。
【００１６】
本発明においては、組電池の保護回路基板に対向させる枠辺部に隣接する枠辺部の少なくとも中央部が可撓性を有するので、前者の枠辺部を組電池の保護回路基板を配してある側面に嵌め合わせた後、内側に撓んだ後者の枠辺部を反対側に反らせつつ、組電池の前記側面に隣接する側面に沿わせることで、容易に外装枠の各枠辺部を組電池の各側面に沿わせることが出来、分断部の対向端部同士を嵌合して外装枠を一体化させ、組電池に嵌合させることが出来る。
【００１７】
第３発明に係る外装枠は、第２発明において、前記枠辺部が内側に凸に湾曲し、前記保護回路基板に対向させる枠辺部と、該枠辺部に対向する枠辺部とが、湾曲した枠辺部を介して連なり、内側を同一方向に向けた状態に成形してなることを特徴とする。
【００１８】
本発明においては、外装枠の前記組電池の保護回路基板に対向する枠辺部と、該側面に対向する枠辺部とが、湾曲した枠辺部を介して連なり、内側を同一方向に向けた状態に成形するので、金型が開く側に、分断した枠辺部も含めて、外装枠の全ての枠辺部の内側を向けることが出来、容易に金型から成形した外装枠を取り出すことが出来、金型の形状が簡単になり、金型を作りやすくなる。そして、外装枠を射出成形により一体成形することが出来る。
【００１９】
第４発明に係る外装枠は、第２発明において、前記一枠辺部に対向する枠辺部の湾曲する部分の上下寸法が前記枠辺部の端部の上下寸法より短いことを特徴とする。
【００２０】
本発明においては、前記枠辺部の湾曲部分の上下寸法が端部の上下寸法より短いので、中央部が曲がりやすく、前記枠辺部を湾曲させやすい。
【００２１】
第５発明に係る外装枠は、第２発明において、前記一枠辺部に対向する枠辺部の湾曲する部分の中央部の上下寸法が前記枠辺部の端部の上下寸法と略同寸であり、前記部分の他部の上下寸法は前記端部の上下寸法より短いことを特徴とする。
【００２２】
本発明においては、湾曲部分の端部の上下寸法が端部の上下寸法より短いので、湾曲部分が曲がりやすく、しかも湾曲部分の中央部の上下寸法が枠辺部の端部の上下寸法と略同寸であるので、外装枠を組電池に嵌め合わせたコアパックにラベルを巻き付けるときに段差がなく、外装枠の組電池への固定が安定し、外観も良好である。
【００２３】
第６発明に係る電池パックは、平板状の素電池の側面の外側に、外部出力端子を有する保護回路基板を配してなる組電池と、第１乃至第５発明のいずれかの外装枠とを備えることを特徴とする。
【００２４】
本発明においては、組み立て時に、外装枠を組電池に嵌合するのが容易であり、無理な力が加わって破損するのが抑制されるとともに、外装枠の接続部分が１箇所であるので、ラベルを巻き付けたときに、外観が良好である。
【発明の効果】
【００２５】
第１発明によれば、外装枠が１ピースから構成されるので、金型が１種類で済み、金型のコストが抑えられ、外装枠のコストが安価になる。そして、分断部が１箇所であるので、外装枠を組電池に嵌合したコアパックにラベルを巻いたときに、接続部分が１箇所視認されるのみであり、外観が良好である。
【００２６】
第２発明によれば、外装枠を容易に組電池に嵌合させることが出来る。
【００２７】
第３発明によれば、金型が開く側に外装枠の枠辺部の内側を向けることが出来、容易に金型から成形した外装枠を取り出すことが出来るので、金型の形状が簡単になり、金型を作りやすい。そして、射出成形により外装枠を一体成形することが出来る。
【００２８】
第４発明によれば、中央部が曲がりやすく、枠辺部を湾曲させやすい。
【００２９】
第５発明によれば、湾曲部を有する枠辺部の中央部と端部との段差が小さくなり、外装枠を組電池に嵌め合わせたコアパックにラベルを巻き付ける場合に、外観が良好である。
【００３０】
第６発明によれば、組み立て時に、外装枠を組電池に嵌合するのが容易であり、無理な力が加わって破損するのが抑制されるとともに、ラベルを巻き付けたときに、外観が良好である。
【発明を実施するための最良の形態】
【００３１】
以下本発明をその実施の形態を示す図面に基づき具体的に説明する。
実施の形態１．
図１は、本発明の実施の形態１に係るコアパック１０を示す斜視図、図２は、コアパック１０を示す分解斜視図である。
コアパック１０の組電池１の素電池１１は、その内部に正極及び負極をセパレータを介して巻回した発電要素からなる非水電解質二次電池、具体的には例えばリチウムイオン二次電池等の二次電池を備え、この発電要素をアルミニウム又はアルミニウム合金製のケースに収納してなる。素電池１１の一側面には、絶縁紙を介して負極端子が設けられており（図示せず）、この負極端子が設けられた部分以外の素電池１１の全体が正極（端子）とされる。
【００３２】
素電池１１の一端面（本実施形態においては、素電池１１の正面側及び背面側の側面を端面という）には、絶縁紙及びスペーサを介して保護回路部１２が取り付けられている。保護回路部１２の保護回路基板１２ａは、素電池１１の過充電又は過放電等を防止するための保護回路を備える。保護回路基板１２ａの素電池１１と対向する面に回路素子（図示せず）が実装されており、反対側、即ち外側の面の一端部側には、外部へ電力を取り出し、また逆に充電のために外部から電力を取り込むための正負極の電極端子１２ｂ，１２ｂ，１２ｂが突設されている。そして、保護回路基板１２ａの両端部には、素電池１１の両側面に沿わせるリード板部１２ｃ，１２ｃが設けられている。
【００３３】
ポリカーボネート製の外装枠２は、保護回路基板１２ａを覆う基板被覆（枠辺）部２１と、可撓性を有し、組電池１の保護回路部１２が配される前記一端面に隣接する一側面を覆う一側面被覆（枠辺）部２２と、組電池１の他端面を覆う他端面被覆（枠辺）部２３と、組電池１の他側面を覆う他側面被覆（枠辺）部２４とを備える。
基板被覆部２１は、組電池１の端面に対向する端面部２１ａと、組電池１の上面の端部を覆う上端部被覆部２１ｂと、組電池１の下面の端部を覆う下端部被覆部２１ｃと、保護回路基板１２ａの電極端子１２ｂを露出させるための窓部２１ｄ，２１ｄ，２１ｄと、端面部２１ａの下部の両端部に設けられた突起部２１ｅ（図２においては、一方のみ示す）とを備える。
【００３４】
一側面被覆部２２は、組電池１の前記一側面の両端側に対向する側面部２２ａ，２２ｄと、組電池１の上端部を覆う上端部被覆部２２ｂ，２２ｅと、組電池１の下端部を覆う下端部被覆部２２ｃ，２２ｆと、中央部に設けられ、可撓性を有し、湾曲している湾曲部２２ｇとを備える。湾曲部２２ｇの厚みは、一側面被覆部２２の他部の厚みより薄い。湾曲部２２ｇは、他部より曲げ強度が強い材質により作製してもよい。
他端面被覆部２３は、組電池１の他端面に対向する端面部２３ａと、組電池１の上端部を覆う上端部被覆部２３ｂと、組電池１の下端部を覆う下端部被覆部２３ｃとを備える。
【００３５】
他側面被覆部２４は分断しており、該他側面の回路基板部１２側に対向する側面部２４ａと、該側面部２４ａの長手方向の端部に設けられた係止凹部２４ｂと、組電池１の上端部を覆う上端部被覆部２４ｃと、下端部を覆う下端部被覆部２４ｄと、前記他側面の他端面側に対向する側面部２４ｅと、該側面部２４ｅの長手方向の端部に設けられた係止凸部２４ｆと、上端部を覆う上端部被覆部２４ｇと、下端部を覆う下端部被覆部２４ｈとを備える。
【００３６】
外装枠２は、図２の斜視図に示すように、一側面被覆部２２の湾曲部２２ｇが内側に凸に湾曲し、基板被覆部２１と、他端面被覆部２３とが、一側面被覆部２２を介して連なり、内側を同一方向に向けた状態に射出成形して得られる。
本実施形態においては、金型が開く側に外装枠２の内側を向けることが出来、容易に金型から成形した外装枠２を取り出すことが出来るので、金型の形状が簡単になり、金型を作りやすい。従って、外装枠２の分断部が１箇所であり、１ピースからなるので、金型が１種類で済むことと相まって、金型のコストが抑えられ、外装枠２のコストが安価になる。
【００３７】
図３は、外装枠２を示す斜視図である。外装枠２は、その係止凸部２４ｆを係止凹部２４ｂに嵌合することにより一体化される。
【００３８】
コアパック１０の組み立てに際しては、まず、素電池１１の一端面に、順次、絶縁紙、スペーサ及び保護回路部１２を重ねて、組電池１を得る。そして、外装枠２の基板被覆部２１及び他側面被覆部２４の側面部２４ａを組電池１の一端面及び他側面の該一端面側に嵌め合わせた後、一側面被覆部２２の内側に湾曲した湾曲部２２ｇを反対側に反らせつつ、組電池１の一側面に沿わせ、さらに他端面被覆部２３を組電池１の他端面に沿わせて、側面部２４ｅを組電池１の他側面に合わせ、係止凸部２４ｆを係止凹部２４ｂに嵌合して、外装枠２を組電池１に嵌め合わせ、コアパック１０を得る。最後にラベル（図示せず）をコアパック１０の平面部に貼付・位置決めし、外装枠２を巻き込んで貼付し、電池パックを得る。
【００３９】
本実施形態においては、組電池１の保護回路部１２を基板被覆部２１で覆った後、内側に湾曲した湾曲部２２ｇを反対側に反らせつつ、順次、組電池１の一端面及び他側面に沿わせるので、１ピースから構成される外装枠２を組電池１に容易に嵌合することが出来、無理な力が加わって破損するのが抑制されている。そして、外装枠２を組電池１に嵌合したコアパック１０にラベルを巻いて電池パックを得るときに、接続部分は１箇所視認されるのみであり、外観が良好である。
【００４０】
実施の形態２．
図４は、本発明の実施の形態２に係るコアパックの外装枠３を示す斜視図である。
ポリカーボネート製の外装枠３は、組電池の保護回路基板を配した一端面を覆う基板被覆部３１と、可撓性を有し、前記一端面に隣接する一側面を覆う一側面被覆部３２と、組電池の他端面を覆う他端面被覆部３３と、組電池の他側面を覆う他側面被覆部３４とを備える。
基板被覆部３１は、組電池の側面に対向する端面部３１ａと、組電池の上端部を覆う上端部被覆部３１ｂと、組電池の下端部を覆う下端部被覆部３１ｃと、保護回路基板の電極端子を露出させるための窓部３１ｄ，３１ｄ，３１ｄと、端面部３１ａの下部の両端部に設けられた突起部３１ｅ（図４においては、一方のみ示す）とを備える。
【００４１】
一側面被覆部３２は、組電池の前記一側面の両端側に対向する側面部３２ａ，３２ｄと、組電池の上端部を覆う上端部被覆部３２ｂ，３２ｅと、組電池の下端部を覆う下端部被覆部３２ｃ，３２ｆと、中央部に設けられ、可撓性を有し、湾曲している湾曲部３２ｇとを備える。湾曲部３２ｇには、複数の切り込み３２ｈ，３２ｈ…が設けられているので、湾曲しやすい。湾曲部３２ｇは、他部より肉厚を薄くしたり、曲げ強度が強い材質により作製することにしてもよい。
他端面被覆部３３は、組電池の他端面に対向する端面部３３ａと、組電池の上端部を覆う上端部被覆部３３ｂと、組電池の下端部を覆う下端部被覆部３３ｃとを備える。
【００４２】
他側面被覆部３４は分断しており、該他側面の回路基板部側に対向する側面部３４ａと、該側面部３４ａの端部に設けられた係止凹部３４ｂと、組電池の上端部を覆う上端部被覆部３４ｃと、下端部を覆う下端部被覆部３４ｄと、前記他側面の他端面側に対向する側面部３４ｅと、該側面部３４ｅの端部に設けられた係止凸部３４ｆと、組電池の上端部を覆う上端部被覆部３４ｇと、下端部を覆う下端部被覆部３４ｈとを備える。
本実施形態においては、外装枠３を、湾曲部３２ｇを反対側に反らせ、係止凹部３４ｂと係止凸部３４ｆとを嵌合することにより一体化させて組電池に嵌合してコアパックを得、さらにラベルを貼付して電池パックを得る。
【００４３】
実施の形態３．
図５は、本発明の実施の形態３に係るコアパックの外装枠４を示す斜視図である。
ポリカーボネート製の外装枠４は、組電池の保護回路基板を配した一端面を覆う基板被覆部４１と、可撓性を有し、前記一端面に隣接する一側面を覆う一側面被覆部４２と、組電池の他端面を覆う他端面被覆部４３と、組電池の他側面を覆う他側面被覆部４４とを備える。
基板被覆部４１は、組電池の側面に対向する端面部４１ａと、組電池の上端部を覆う上端部被覆部４１ｂと、組電池の下端部を覆う下端部被覆部４１ｃと、保護回路基板の電極端子を露出させるための窓部４１ｄ，４１ｄ，４１ｄと、端面部４１ａの下部の両端部に設けられた突起部４１ｅ（図５においては、一方のみ示す）とを備える。
【００４４】
一側面被覆部４２は、組電池の前記一側面の両端側に対向する側面部４２ａ，４２ｄと、組電池の上端部を覆う上端部被覆部４２ｂ，４２ｅと、組電池の下端部を覆う下端部被覆部４２ｃ，４２ｆと、中央部に設けられ、可撓性を有し、湾曲している湾曲部４２ｇ，４２ｈとを備える。湾曲部４２ｇ，４２ｈは、側面部４２ａと４２ｄとを上下に橋絡する。湾曲部４２ｇ，４２ｈは幅狭であるので、湾曲しやすい。湾曲部４２ｇ，４２ｈは、他部より肉厚を薄くしたり、曲げ強度が強い材質により作製することにしてもよい。
他端面被覆部４３は、組電池の他端面に対向する端面部４３ａと、組電池の上端部を覆う上端部被覆部４３ｂと、組電池の下端部を覆う下端部被覆部４３ｃとを備える。
【００４５】
他側面被覆部４４は分断しており、該他側面の回路基板部側に対向する側面部４４ａと、該側面部４４ａの端部に設けられた係止凹部４４ｂと、組電池の上端部を覆う上端部被覆部４４ｃと、下端部を覆う下端部被覆部４４ｄと、前記他側面の他端面側に対向する側面部４４ｅと、該側面部４４ｅの端部に設けられた係止凸部４４ｆと、組電池の上端部を覆う上端部被覆部４４ｇと、下端部を覆う下端部被覆部４４ｈとを備える。
本実施形態においては、外装枠４を、湾曲部４２ｇ，４２ｈを反対側に反らせ、係止凹部４４ｂと係止凸部４４ｆとを嵌合することにより一体化させて組電池に嵌合してコアパックを得、さらにラベルを貼付して電池パックを得る。
【００４６】
実施の形態４．
図６は、本発明の実施の形態４に係るコアパックの外装枠５を示す斜視図である。
ポリカーボネート製の外装枠５は、組電池の保護回路基板を配した一端面を覆う基板被覆部５１と、可撓性を有し、前記一端面に隣接する一側面を覆う一側面被覆部５２と、組電池の他端面を覆う他端面被覆部５３と、組電池の他側面を覆う他側面被覆部５４とを備える。
基板被覆部５１は、組電池の側面に対向する端面部５１ａと、組電池の上端部を覆う上端部被覆部５１ｂと、組電池の下端部を覆う下端部被覆部５１ｃと、保護回路基板の電極端子を露出させるための窓部５１ｄ，５１ｄ，５１ｄと、端面部５１ａの下部の両端部に設けられた突起部５１ｅ（図６においては、一方のみ示す）とを備える。
【００４７】
一側面被覆部５２は、組電池の前記一側面の両端側に対向する側面部５２ａ，５２ｄと、組電池の上端部を覆う上端部被覆部５２ｂ，５２ｅと、組電池の下端部を覆う下端部被覆部５２ｃ，５２ｆと、中央部に設けられ、可撓性を有し、湾曲している湾曲部５２ｇとを備える。湾曲部５２ｇは、側面部５２ａと５２ｄとを橋絡する。湾曲部５２ｇの上下寸法は、側面部５２ａ及び５２ｄの上下寸法より短いので、湾曲しやすい。湾曲部５２ｇは、他部より肉厚を薄くしたり、曲げ強度が強い材質により作製することにしてもよい。
他端面被覆部５３は、組電池の他端面に対向する端面部５３ａと、組電池の上端部を覆う上端部被覆部５３ｂと、組電池の下端部を覆う下端部被覆部５３ｃとを備える。
【００４８】
他側面被覆部５４は分断しており、該他側面の回路基板部側に対向する側面部５４ａと、該側面部５４ａの端部に設けられた係止凹部５４ｂと、組電池の上端部を覆う上端部被覆部５４ｃと、下端部を覆う下端部被覆部５４ｄと、前記他側面の他端面側に対向する側面部５４ｅと、該側面部５４ｅの端部に設けられた係止凸部５４ｆと、組電池の上端部を覆う上端部被覆部５４ｇと、下端部を覆う下端部被覆部５４ｈとを備える。
本実施形態においては、外装枠５を、湾曲部５２ｇを反対側に反らせ、係止凹部５４ｂと係止凸部５４ｆとを嵌合することにより一体化させて組電池に嵌合してコアパックを得、さらにラベルを貼付して電池パックを得る。
【００４９】
実施の形態５．
図７は、本発明の実施の形態５に係るコアパックの外装枠６を示す斜視図である。
ポリカーボネート製の外装枠６は、組電池の保護回路基板を配した一端面を覆う基板被覆部６１と、可撓性を有し、前記一端面に隣接する一側面を覆う一側面被覆部６２と、組電池の他端面を覆う他端面被覆部６３と、組電池の他側面を覆う他側面被覆部６４とを備える。
基板被覆部６１は、組電池の側面に対向する端面部６１ａと、組電池の上端部を覆う上端部被覆部６１ｂと、組電池の下端部を覆う下端部被覆部６１ｃと、保護回路基板の電極端子を露出させるための窓部６１ｄ，６１ｄ，６１ｄと、端面部６１ａの下部の両端部に設けられた突起部６１ｅ（図７においては、一方のみ示す）とを備える。
【００５０】
一側面被覆部６２は、組電池の前記一側面の両端側に対向する側面部６２ａ，６２ｄと、組電池の上端部を覆う上端部被覆部６２ｂ，６２ｅと、組電池の下端部を覆う下端部被覆部６２ｃ，６２ｆと、中央部に設けられ、可撓性を有し、湾曲している湾曲部６２ｇとを備える。湾曲部６２ｇは、側面部６２ａと６２ｄとを橋絡し、湾曲部６２ｇの上下寸法は、側面部６２ａ及び６２ｄの上下寸法より短いので、湾曲しやすい。そして、湾曲部６２ｇの中央部には、上下寸法が側面部６２ａ及び６２ｄの上下寸法と同寸であり、肉厚も側面部６２ａ及び６２ｄの肉厚と同等であり、前記一側面の中央部に対向する側面部６２ｈが設けられている。側面部６２ｈには、組電池の上端部を覆う上端部被覆部６２ｉと、下端部を覆う下端部被覆部６２ｊとが突設されている。湾曲部６２ｇは、他部より肉厚を薄くしたり、曲げ強度が強い材質により作製することにしてもよい。
他端面被覆部６３は、組電池の他端面に対向する端面部６３ａと、組電池の上端部を覆う上端部被覆部６３ｂと、組電池の下端部を覆う下端部被覆部６３ｃとを備える。
【００５１】
他側面被覆部６４は分断しており、該他側面の回路基板部側に対向する側面部６４ａと、該側面部６４ａの端部に設けられた係止凹部６４ｂと、組電池の上端部を覆う上端部被覆部６４ｃと、下端部を覆う下端部被覆部６４ｄと、前記他側面の他端面側に対向する側面部６４ｅと、該側面部６４ｅの端部に設けられた係止凸部６４ｆと、組電池の上端部を覆う上端部被覆部６４ｇと、下端部を覆う下端部被覆部６４ｈとを備える。
本実施形態においては、外装枠６を、湾曲部６２ｇを反対側に反らせ、係止凹部６４ｂと係止凸部６４ｆとを嵌合することにより一体化させて組電池に嵌合してコアパックを得、さらにラベルを貼付して電池パックを得る。
【００５２】
本実施形態においては、側面部６２ｈの上下寸法が側面部６２ａ及び６２ｄの上下寸法と同寸であるので、外装枠６を嵌め合わせた組電池にラベルを巻き付けるときに段差がなく、外装枠６の組電池への固定が安定し、外観も良好である。
【００５３】
なお、前記実施の形態１乃至５においては、外装枠２、３、４、５及び６がポリカーボネート製である場合につき説明しているがこれに限定されるものではなく、ポリカーボネートにＡＢＳ樹脂等を添加したものであってもよい。外装枠２、３、４、５及び６は曲げ強度が強く、柔軟な材質であればよい。
【図面の簡単な説明】
【００５４】
【図１】本発明の実施の形態１に係るコアパックを示す斜視図である。
【図２】本発明の実施の形態１に係るコアパックを示す分解斜視図である。
【図３】本発明の実施の形態１に係る外装枠を示す斜視図である。
【図４】本発明の実施の形態２に係るコアパックの外装枠を示す斜視図である。
【図５】本発明の実施の形態３に係るコアパックの外装枠を示す斜視図である。
【図６】本発明の実施の形態４に係るコアパックの外装枠を示す斜視図である。
【図７】本発明の実施の形態５に係るコアパックの外装枠を示す斜視図である。
【図８】従来のコアパックを示す分解斜視図である。
【符号の説明】
【００５５】
１  組電池
２、３、４、５、６  外装枠
２１、３１、４１、５１、６１  基板被覆部
２２、３２、４２、５２、６２  一側面被覆部
２２ａ、２２ｄ、３２ａ、３２ｄ、４２ａ、４２ｄ、５２ａ、５２ｄ、６２ａ、６２ｄ  側面部
２２ｂ、２２ｅ、３２ｂ、３２ｅ、４２ｂ、４２ｅ、５２ｂ、５２ｅ、６２ｂ、６２ｅ  上端部被覆部
２２ｃ、２２ｆ、３２ｃ、３２ｆ、４２ｃ、４２ｆ、５２ｃ、５２ｆ、６２ｃ、６２ｆ  下端部被覆部
２２ｇ、３２ｇ、４２ｇ、４２ｈ、５２ｇ、６２ｇ  湾曲部
６２ｈ  側面部
６２ｉ  上端部被覆部
６２ｊ  下端部被覆部
２３、３３、４３、５３、６３  他端面被覆部
２４、３４、４４、５４、６４  他側面被覆部
【図１】
2007179979.tif 000003
【図２】
2007179979.tif 000004
【図３】
2007179979.tif 000005
【図４】
2007179979.tif 000006
【図５】
2007179979.tif 000007
【図６】
2007179979.tif 000008
【図７】
2007179979.tif 000009
【図８】
2007179979.tif 000010